【手続補正書】
【提出日】平成26年2月28日(2014.2.28)
【手続補正１】
【補正対象書類名】特許請求の範囲
【補正対象項目名】全文
【補正方法】変更
【補正の内容】
【特許請求の範囲】
【請求項１】
発射システムにおいて使用するための衝撃分離アセンブリであって、
発射体取付けフレームと、
基体部分と、
中を貫通する開口部を画定する衝撃分離器と、
を含み、
前記衝撃分離器は、前記発射体取付けフレームを前記基体部分に弾性的に取り付けるよう構成され、
前記衝撃分離器は、周壁を画定する少なくとも１つの弾性支持プレートを含み、
前記少なくとも１つの弾性支持プレートは、前記発射体取付けフレームと前記基体部分の間に概して垂直に或る方向に伸びる広い主要面と、狭い非主要面とを有し、
前記少なくとも１つの弾性支持プレートは、前記少なくとも１つの弾性支持プレートに形成された一体的なスプリング配置構成を有するものである、
衝撃分離アセンブリ。
【請求項２】
前記一体的なスプリング配置構成は、前記少なくとも１つの弾性支持プレートに形成された少なくとも１つのボイドを含むものである、請求項１に記載の衝撃分離アセンブリ。
【請求項３】
前記少なくとも１つのボイドは、前記少なくとも１つの弾性支持プレートに所定の周波数応答を与えるよう構成された複数のボイドを含むものである、請求項２に記載の衝撃分離アセンブリ。
【請求項４】
前記少なくとも１つの弾性支持プレートは概して平面状である、請求項１乃至３のいずれかに記載の衝撃分離アセンブリ。
【請求項５】
前記少なくとも１つの弾性支持プレートは、４面スカートを形成するように配置された４つの弾性支持プレートを含むものである、請求項１乃至４のいずれかに記載の衝撃分離アセンブリ。
【請求項６】
前記基体部分は、前記衝撃分離器によって画定された前記開口部と連通する中空空間を画定するものである、請求項１乃至５のいずれかに記載の衝撃分離アセンブリ。
【請求項７】
前記衝撃分離器によって画定された前記開口部は、前記発射体取付けフレーム上に配置された発射体の点火端部と整列しているものである、請求項１乃至６のいずれかに記載の衝撃分離アセンブリ。
【請求項８】
前記衝撃分離器によって画定された前記開口部と、前記基体部分によって画定された中空空間とは、連続的な空洞を形成するものである、請求項６または７に記載の衝撃分離アセンブリ。
【請求項９】
前記衝撃分離器は、前記発射体取付けフレームを取り付けるための少なくとも１つの開孔部を含むものである、請求項１乃至８のいずれかに記載の衝撃分離アセンブリ。
【請求項１０】
前記一体的なスプリング配置構成は、前記弾性支持プレートの前記広い主要面によって画定される平面に配置される軸に沿って、前記垂直な方向に前記少なくとも１つの弾性支持プレートの撓みを形成するよう構成されている、請求項１乃至９のいずれかに記載の衝撃分離アセンブリ。
【請求項１１】
前記周壁は、三角形状の構成と長方形状の構成のうちの一方である、請求項１乃至１０のいずれかに記載の衝撃分離アセンブリ。
【請求項１２】
前記一体的なスプリング配置構成は、前記弾性支持プレートの前記広い主要面に形成されたものである、請求項１乃至１１のいずれかに記載の衝撃分離アセンブリ。
【請求項１３】
前記衝撃分離器は、前記発射体取付けフレームを、前記基体部分に向かう方向の垂直軸に沿った動きを許容するよう構成され、
前記弾性支持プレートは、前記垂直軸に平行で、前記弾性支持プレートの前記広い主要面に平行な方向に、撓むよう構成されているものである、請求項１乃至１２のいずれかに記載の衝撃分離アセンブリ。
【請求項１４】
発射システムにおいて使用するための衝撃分離アセンブリであって、
発射体取付けフレームと、
基体部分と、
中を貫通する開口部を画定する衝撃分離器と、
を含み、
前記衝撃分離器は、前記発射体取付けフレームを前記基体部分に弾性的に取り付けるよう構成され、
前記衝撃分離器は、周壁を画定する少なくとも１つの弾性支持プレートを含み、前記少なくとも１つの弾性支持プレートは、前記少なくとも１つの弾性支持プレートに形成された一体的なスプリング配置構成を有し、
前記一体的なスプリング配置構成は、前記少なくとも１つの弾性支持プレートに形成された複数のボイドを含み、前記複数のボイドは、前記少なくとも１つの弾性支持プレートに所定の周波数応答を与えるよう構成され、
前記少なくとも１つの弾性支持プレートに画定された前記複数のボイドは、前記少なくとも１つの弾性支持プレートに複数行および複数列に配置された複数のボイドのパターンを形成するものである、
衝撃分離アセンブリ。
【請求項１５】
垂直発射システムにおいて使用するための衝撃分離部材であって、
周壁を画定する少なくとも１つの弾性支持プレートを含み、
前記周壁の端部は、中を貫通する開口部を画定し、前記弾性支持プレートは、前記弾性支持プレートに形成された一体的なスプリング配置構成を有し、
前記少なくとも１つの弾性支持プレートは、発射体取付けフレームに取り付けられるよう構成された第１の端部と、基体部分に取り付けられるよう構成された第２の端部と、を有し、
前記少なくとも１つの弾性支持プレートは、前記発射体取付けフレームと前記基体部分の間に概して垂直に或る方向に伸びる広い主要面と、狭い非主要面とを有し、
前記一体的なスプリング配置構成は、前記少なくとも１つの弾性支持プレートに形成された複数のボイドを含み、
前記複数のボイドは、前記少なくとも１つの弾性支持プレートに所定の周波数応答を与えるよう構成され、
前記少なくとも１つの弾性支持プレートに画定された前記複数のボイドは、前記少なくとも１つの弾性支持プレートに複数行および複数列に配置された複数のボイドのパターンを形成するものである、衝撃分離部材。
【請求項１６】
前記少なくとも１つの弾性支持プレートは、前記周壁を画定する４つの弾性支持プレートを含むものである、請求項１５に記載の衝撃分離部材。
【請求項１７】
各弾性支持プレートは、前記周壁の長方形状の構成を画定するよう、前記４つの弾性支持プレートの中の他の２つの弾性支持プレートに結合されるものである、請求項１６に記載の衝撃分離部材。
【請求項１８】
前記少なくとも１つの弾性支持プレートは概して平面状である、請求項１５乃至１７のいずれかに記載の衝撃分離部材。
【請求項１９】
前記周壁は、円形状の構成、三角形状の構成、および長方形状の構成の中の１つである、請求項１５乃至１８のいずれかに記載の衝撃分離部材。
【請求項２０】
前記一体的なスプリング配置構成は、前記弾性支持プレートの前記広い主要面に形成されるものである、請求項１５乃至１９のいずれかに記載の衝撃分離部材。
【請求項２１】
前記一体的なスプリング配置構成は、前記弾性支持プレートの前記広い主要面によって画定される平面に平行な前記垂直な方向に前記弾性支持プレートの撓みを形成するよう構成されている、請求項１５乃至２０のいずれかに記載の衝撃分離部材。
【請求項２２】
垂直発射システムにおいて使用するための衝撃分離部材であって、
周壁を画定する少なくとも１つの弾性支持プレートを含み、
前記周壁の端部は、中を貫通する開口部を画定し、前記弾性支持プレートは、前記弾性支持プレートに形成された一体的なスプリング配置構成を有し、
前記少なくとも１つの弾性支持プレートは、発射体取付けフレームに取り付けられるよう構成された第１の端部と、基体部分に取り付けられるよう構成された第２の端部と、を有し、
前記一体的なスプリング配置構成は、前記少なくとも１つの弾性支持プレートに形成された複数のボイドを含み、前記複数のボイドは、前記少なくとも１つの弾性支持プレートに所定の周波数応答を与えるよう構成され、
前記少なくとも１つの弾性支持プレートに画定された前記複数のボイドは、前記少なくとも１つの弾性支持プレートに複数行および複数列に配置された複数のスロットのパターンを形成するものである、衝撃分離部材。
【請求項２３】
前記複数のスロットの中の少なくとも幾つかのスロットは、異なる寸法を有するものである、請求項２２に記載の衝撃分離部材。